(57)【要約】  【課題】自動販売機で、可燃性冷媒の漏れを安全に排気できるようにする。  【解決手段】販売商品１と、最下部に１本ずつ搬出する商品搬出手段２と、販売商品を収納する庫内と取り出し口との空気を遮断する中庫内開閉扉３と、商品購入者が商品をとりだすための商品取出扉４と、冷媒が漏れた場合に検知する漏洩検知手段５を備え、漏洩検知手段５により、冷媒が漏れた場合、商品を連続搬出し、中庫内開閉扉３を開状態に固定させ排気することができる。【選択図】図１
2009288840.tif 000002
【特許請求の範囲】
【請求項１】
自動販売機の商品を自動販売機庫内から搬出する商品搬出手段と、商品を冷却するための冷媒が漏れた場合に漏れを検知する漏洩検知手段と、自動販売機庫内と商品取り出し口とを隔離する中庫内開閉扉と自動販売機外部と商品取り出し部とを隔離する商品取出扉と、商品を搬出する場合、前記商品搬出手段を動作させる演算制御部を備え、前記漏洩検知手段により冷媒の漏れが検出された場合に、商品を連続搬出することを特徴とする自動販売機。
【請求項２】
冷媒の漏れを検知したときに、連続販売する商品を自動販売機管理者が予め設定する設定手段を設け、前期漏洩手段にて冷媒の漏れが検出された場合に、設定された商品を連続販売することを特徴とする請求項１に記載の自動販売機。
【請求項３】
自動販売機の収納商品の販売状況を記憶する記憶手段を設け、前期漏洩手段にて冷媒の漏れが検出された場合に、自動的に収納本数の多い商品を連続販売することを特徴とする請求項２に記載の自動販売機。
【請求項４】
自動販売機の収納商品の売り切れを検知する売切れ検知手段を設け、前期漏洩手段にて冷媒の漏れが検出された場合に、多い商品を連続販売し、商品が売切れた場合、他の商品を連続販売することを特徴とする請求項３に記載の自動販売機。
【発明の詳細な説明】
【技術分野】
【０００１】
本発明は、自動販売機における制御装置に関するものである。
【背景技術】
【０００２】
従来の自動販売機における制御装置には、冷媒として可燃性冷媒を用い、もし、冷媒が漏れた場合でもファンを連続運転することで可燃性冷媒が充満することなく外部に排気する制御装置について開示したものがある（例えば、特許文献１参照）。
【特許文献１】特開２００３−１７８３６２号公報
【発明の開示】
【発明が解決しようとする課題】
【０００３】
しかしながら、前記従来の構成では、商品収納庫内で冷媒が漏れた場合、密閉された庫内では、ファンを運転し続けても吸気部がなければ排気することができない。また、中庫内開閉扉を開けて排気するためには構造的に部品を追加しなければいけなく、複雑かつ高価な構成となるという課題を有していた。
【０００４】
本発明は、前記従来の課題を解決するもので、通常の自動販売機で、構造を変更することなく漏洩冷媒を排気させることを目的としている。
【課題を解決するための手段】
【０００５】
前記従来の課題を解決するために、本発明の自動販売機の制御装置は、冷媒の漏れが検出された場合に、商品を連続搬出する用に構成したのである。これにより、自動販売機の構造を変えることなく漏洩冷媒の排気ができる。
【発明の効果】
【０００６】
本発明の自動販売機は、構造部品を変更することなく排気できるため、自動販売機購入者は自動販売機を高価な値段で購入することなく、冷媒が漏れた場合にも安全に排気することができる。
【発明を実施するための最良の形態】
【０００７】
請求項１に記載の発明は、自動販売機の商品を自動販売機庫内から搬出する商品搬出手段があり、商品を冷却するための冷媒が漏れた場合に漏れを検知する漏洩検知手段と、自動販売機庫内と商品取り出し口とを隔離する中庫内開閉扉と自動販売機外部と商品取り出し部とを隔離する商品取出扉と、商品を搬出する場合、前記商品搬出手段を動作させる演算制御部を備え、前記漏洩検知手段により冷媒の漏れが検出された場合に、商品を連続搬出することができる。
【０００８】
請求項２に記載の発明は、請求項１に記載の発明で、連続販売する商品を自動販売機管理者が予め設定する設定手段を設け、前期漏洩手段にて冷媒の漏れが検出された場合に、設定された商品を連続販売することができる。
【０００９】
請求項３に記載の発明は、請求項２に記載の発明で、自動販売機の収納商品の販売状況を記憶する記憶手段を設け、前期漏洩手段にて冷媒の漏れが検出された場合に、自動的に収納本数の多い商品を連続販売することができる。
【００１０】
請求項４に記載の発明は、請求項３に記載の発明で、自動販売機の収納商品の売り切れを検知する売切れ検知手段を設け、前期漏洩手段にて冷媒の漏れが検出された場合に、多い商品を連続販売し、商品が売切れた場合、他の商品を連続販売することができる。
【００１１】
以下、本発明の形態と同一構成については同一符号を付して、その詳細な説明は省略する。なお、この実施の形態によってこの発明が限定されるものではない。
【００１２】
（実施の形態１）
図１は本発明の実施の形態１による自動販売機の構成図である。図２は、本実施の形態１における自動販売機の制御装置の機能ブロック図である。図３は、同実施の形態１の動作を示すフローチャートである。図４は、自動販売機の制御機能ブロック図である。図５は、連続販売時の動作を示すフローチャートである。図６は、制御機能ブロック図である。図７は収納本数が多い場合の連続販売時のフローチャートである。図８は、自動販売機の制御機能ブロック図である。図９は、商品が売切れた場合の動作を示すフローチャートである。
【００１３】
図１において、１は販売商品であり、最下部に１本づつ搬出する商品搬出手段２、販売商品を収納する庫内と、取り出し口との空気を遮断する中庫内開閉扉３、商品購入者が商品をとりだすための商品取出扉４、冷媒が漏れた場合に検知する漏洩検知手段５が設けられている。
【００１４】
漏洩検知手段５は、商品収納庫内もしくは、機械室などに設置されており、冷媒の漏れを検知できれば、設置場所は問わない。中庫内開閉扉３は商品の重みにより開くもので、通常はその自重により庫内と外気を遮断している。
【００１５】
図２において、演算制御部１１ａは、図１に示した、漏洩検知手段５からの信号を受け、商品搬出手段２に対し、商品を搬出する制御を行うものである。
【００１６】
以上のように構成された自動販売機の制御装置について、以下、図３を用いて動作を説明する。
【００１７】
漏洩検知手段５により、冷媒が漏れていないかを確認する（ＳＴＥＰ１）。漏れが検知されていた場合、商品搬出手段２を動作させ、連続して販売商品１を搬出させる（ＳＴＥＰ２）。このとき連続して搬出させるために、販売商品１は商品取り出し口付近に多数存在し、販売商品１により中庫内開閉扉３は開いた状態になる。それにより、冷媒が庫内から排気される。また、商品の連続搬出により、この自販機は以降販売禁止となる（ＳＴＥＰ３）。
【００１８】
また、もし冷媒を検知しない場合には、通常の待機状態になる（ＳＴＥＰ４）。
【００１９】
以上のように本実施の形態の自動販売機の制御装置によれば、漏洩検知手段５にて冷媒の漏れを検知し、商品を連続販売させ、中庫内開閉扉３を開状態に固定し漏れた冷媒を排気できる。
【００２０】
１２は連続販売する商品を設定する設定手段である。
【００２１】
以上のように構成された自動販売機について、以下図５を用いて、その動作を説明する。
【００２２】
設定手段１２により連続販売をする商品を設定する場合（ＳＴＥＰ１１）、自動販売機管理者は商品の選定を行う（ＳＴＥＰ１２）。漏洩検知手段５により、冷媒が漏れていないかを確認する（ＳＴＥＰ１３）。漏れが検知されていた場合、設定手段１２により連続販売する販売商品１が設定されていた場合（ＳＴＥＰ１４）、商品搬出手段２を動作させ、その商品を連続して搬出させる（ＳＴＥＰ１５）。
【００２３】
もし、連続販売する商品が設定されていない場合は任意の販売商品１を連続販売させる（ＳＴＥＰ１８）。このとき連続して搬出させるために、販売商品１は商品取り出し口付近に多数存在し、販売商品１により中庫内開閉扉３は開いた状態になる。それにより、冷媒が庫内から排気される。また、商品の連続搬出により、この自販機は以降販売禁止となる。（ＳＴＥＰ１６）。
【００２４】
また、もし冷媒を検知しない場合には、通常の待機状態になる（ＳＴＥＰ１７）。
【００２５】
以上のように本実施の形態の自動販売機の制御装置によれば、漏洩検知手段５にて冷媒の漏れを検知し、自動販売機管理者の設定した商品、いわゆる売れ筋商品でないものなど、を連続販売させ、中庫内開閉扉３を開状態に固定し漏れた冷媒を排気できる。
【００２６】
図６において、１３は販売された商品の個数を記憶する記憶手段である。
【００２７】
以上のように構成された自動販売機について、以下図７を用いて、その動作を説明する。
【００２８】
自動販売機管理者が、販売商品１を自動販売機に充填し、消費者が商品購入すると、その販売商品の個数を記憶する（ＳＴＥＰ２１）。漏洩検知手段５により、冷媒が漏れていないかを確認する（ＳＴＥＰ２２）。漏れが検知されていた場合、記憶手段にて販売状況が記憶されたおり、在庫数の多い商品を連続して搬出する（ＳＴＥＰ２３）。なお、在庫数の一番少ない商品を搬出するように設定することも可能である。このとき連続して搬出させるために、販売商品１は商品取り出し口付近に多数存在し、販売商品１により中庫内開閉扉３は開いた状態になる。それにより、冷媒が庫内から排気される。また、商品の連続搬出により、この自販機は以降販売禁止となる（ＳＴＥＰ２４）。また、もし冷媒を検知しない場合には、通常の待機状態になる（ＳＴＥＰ２５）。
【００２９】
以上のように本実施の形態の自動販売機の制御装置によれば、漏洩検知手段５にて冷媒の漏れを検知し、在庫数の多い商品を自動的に連続販売させ、中庫内開閉扉３を開状態に固定し漏れた冷媒を排気できる。
【００３０】
図８において、１４は収納商品の売り切れを検知する売り切れ検知手段である。
【００３１】
以上のように構成された自動販売機について、以下図９を用いて、その動作を説明する。
【００３２】
自動販売機管理者が、販売商品１を自動販売機に充填し、消費者が商品購入すると、その販売商品の個数を記憶する（ＳＴＥＰ３１）。漏洩検知手段５により、冷媒が漏れていないかを確認する（ＳＴＥＰ３２）。
【００３３】
漏れが検知されていた場合、記憶手段にて販売状況が記憶されたおり、在庫数の多い商品を連続して搬出する（ＳＴＥＰ３３）。なお、在庫数の一番少ない商品を搬出するように設定することも可能である。
【００３４】
つぎに、連続搬出する商品が売り切れていないかを判定する（ＳＴＥＰ３４）。売り切れていない場合は、在庫の多い商品をそのまま連続搬出する（ＳＴＥＰ３５）。売り切れた場合は、他の商品を搬出する（ＳＴＥＰ３８）。このとき連続して搬出させるために、販売商品１は商品取り出し口付近に多数存在し、販売商品１により中庫内開閉扉３は開いた状態になる。
【００３５】
それにより、冷媒が庫内から排気される。また、商品の連続搬出により、この自販機は以降販売禁止となる。（ＳＴＥＰ３６）。また、もし冷媒を検知しない場合には、通常の待機状態になる（ＳＴＥＰ３７）。
【００３６】
以上のように本実施の形態の自動販売機の制御装置によれば、漏洩検知手段５にて冷媒の漏れを検知し、在庫数の多い商品を自動的に連続販売させ、その商品が売り切れた場合でも他の商品を搬出させ庫内開閉扉３を開状態に固定し漏れた冷媒を排気できる。
【産業上の利用可能性】
【００３７】
以上のように、本発明にかかる自動販売機は、可燃性冷媒を用いた場合、コストをかけずに漏洩冷媒を外部へ排出できるので、あらゆる可燃性冷媒を用いた自動販売機に適用できる。
【図面の簡単な説明】
【００３８】
【図１】本発明の実施の形態１における全体構成図
【図２】同実施の形態の自動販売機の制御装置の機能ブロック図
【図３】同実施の形態の自動販売機の制御装置の動作を示すフローチャート
【図４】同実施の形態の自動販売機の制御装置の機能ブロック図
【図５】同実施の形態の自動販売機の制御装置の動作を示すフローチャート
【図６】同実施の形態の自動販売機の制御装置の機能ブロック図
【図７】収納本数が多い場合の連続販売時の動作を示すフローチャート
【図８】同実施の形態の自動販売機の制御装置の機能ブロック図
【図９】商品が売切れた場合の動作を示すフローチャート
【符号の説明】
【００３９】
１  販売商品
２  商品搬出手段
３  中庫内開閉扉
４  商品取出扉
５  漏洩検知手段
１１ａ、１１ｂ、１１ｃ、１１ｄ  演算制御部
１２  設定手段
１３  記憶手段
１４  売切れ検知手段
【図１】
2009288840.tif 000003
【図２】
2009288840.tif 000004
【図３】
2009288840.tif 000005
【図４】
2009288840.tif 000006
【図５】
2009288840.tif 000007
【図６】
2009288840.tif 000008
【図７】
2009288840.tif 000009
【図８】
2009288840.tif 000010
【図９】
2009288840.tif 000011